(57)【要約】【課題】  ディスク記録再生装置において、待機モードから動作モードに移行する際の起動時間を短縮する。【解決手段】  ディスク記録再生装置はディスク装置と時刻監視手段とドライブコントロール手段を有し、ディスク装置は新たに記録媒体を装着した際に記録媒体に応じた制御値を得るための調整処理を行い、得られた調整結果を記憶手段に記憶する。記録媒体がディスク装置に装着された状態で、ディスク記録再生装置が待機モードに移行した場合、移行した時刻からあらかじめ設定された調整有効時間が経過した時に、時刻監視手段がドライブコントロール手段に通知し、ドライブコントロール手段はディスク装置を起動して調整処理を行って調整結果を得、記憶手段の値を更新し、再度前ディスク装置を停止させる。  次回ディスク記録再生装置が待機モードから動作モードに移行するとき、ディスク装置は記憶手段に記憶された調整値を使用して起動を行う。【選択図】  図１
2007012220.tif 000002
【特許請求の範囲】
【請求項１】
ディスク状の記録媒体を回転させて記録あるいは再生するディスク装置と、時刻計測手段と時刻監視手段と、前記ディスク装置の動作命令を発行するドライブコントロール手段を有したディスク記録再生装置において、
前記ディスク装置は、前記記録媒体に対し記録あるいは再生を行うための制御値を得る調整手段と、前記調整手段による調整結果を保持する記憶手段を有しており、
前記時刻監視手段は前記時刻計測手段から得られる時刻を監視し、あらかじめ設定した時刻になった場合にドライブコントロール手段に通知し、
前記ディスク記録再生装置は、一部の機能を除いて機能を停止する待機モードと、動作を行う動作モードがあり、
前記記憶手段に記憶された調整結果は、前記待機モードにおいても保持されており、
前記待機モードにおいて、少なくとも前記ディスク装置は停止し、前記時刻計測手段および時刻監視手段は動作した状態にあり、
前記ディスク装置は、前記記録媒体を装着した際に、前記調整手段により調整処理を行い、得られた調整結果を前記記憶手段に記憶し、
前記記録媒体が前記ディスク装置に装着された状態で、前記ディスク記録再生装置が待機モードに移行し、移行した時刻からあらかじめ設定された調整有効時間が経過した場合、前記時刻監視手段が前記ドライブコントロール手段に通知し、前記ドライブコントロール手段は前記ディスク装置を起動して前記調整手段により調整処理を行い、調整結果を前記記憶手段に記憶することで値を更新し、再度前記ディスク装置を停止させ、
次回前記ディスク記録再生装置が待機モードから動作モードに移行するときに前記ディスク装置は前記記憶手段に記憶された調整結果の少なくとも一部を使用して起動を行うことを特徴としたディスク記録再生装置。
【請求項２】
請求項１記載のディスク記録再生装置において、待機モード時に調整処理を行った時刻からさらに前記調整有効時間が経過した場合、前記時刻監視手段が前記ドライブコントロール手段に通知し、前記ドライブコントロール手段は前記ディスク装置を起動して前記調整手段により調整処理を行い、調整結果を前記記憶手段に記憶することで値を更新し、再度前記ディスク装置を停止させることを特徴としたディスク記録再生装置。
【請求項３】
請求項１記載のディスク記録再生装置において、前記記憶手段に不揮発性メモリを用いたことを特徴としたディスク記録再生装置。
【請求項４】
請求項１記載のディスク記録再生装置において、待機モードにおける調整処理での記録媒体の回転速度を、前記ディスク装置に記録媒体を新たに装着して調整処理を行う際の回転速度より低くしたことを特徴としたディスク記録再生装置。
【請求項５】
請求項１記載のディスク記録再生装置において、待機モードの調整処理回数があらかじめ設定した回数を超えた場合、次回動作モードへの移行時まで調整処理を行わず、動作モード移行時のディスク装置起動時に調整処理を行うことを特徴としたディスク記録再生装置。
【請求項６】
請求項１記載のディスク記録再生装置において、待機モード時に調整実行を許可する調整可能時刻を設定し、前記調整有効時間経過後、最初の調整可能時刻に調整処理を行うことを特徴としたディスク記録再生装置。
【請求項７】
請求項１記載のディスク記録再生装置において、待機モード時に調整実行を許可する調整可能時刻を設定し、前記調整有効時間内において最後の調整可能時刻に調整処理を行うことを特徴としたディスク記録再生装置。
【請求項８】
請求項１記載のディスク記録再生装置において、前記ディスク記録再生装置は、温度計測手段および温度監視手段を有し、調整処理を行う際の温度情報を前記記憶手段に保持しており、
前記待機モードにおいて、前記温度計測手段および温度監視手段は動作した状態にあり、
待機モード時、前回調整処理を行った時の温度と現在の温度を比較し、温度差があらかじめ設定された許容温度変化値以上であることを前記温度監視手段が検出した場合、前記ドライブコントロール手段に通知し、前記ドライブコントロール手段は前記ディスク装置を起動して前記調整手段により調整処理を行い、調整結果を前記記憶手段に記憶することで値を更新し、再度前記ディスク装置を停止させることを特徴としたディスク記録再生装置。
【発明の詳細な説明】
【技術分野】
【０００１】
本発明はディスク装置を搭載するディスク記録再生装置に関わり、特にディスク記録再生装置起動の高速化に関するものである。
【背景技術】
【０００２】
光ディスクを使用するディスク記録再生装置では、ディスク間のバラツキを吸収し、安定に記録あるいは再生するための制御値を得るため、調整処理を行っている。ディスク交換時や、ディスク記録再生装置の電源投入時にはこの調整処理が入るため動作可能になるまでの起動時間が必要となる。起動時間は短時間で終了するほど、使い勝手がよく、従来の起動時間短縮技術としては例えば特許文献１に記載されている方法がある。
【０００３】
【特許文献１】特開２００２−７４６９４号公報
【発明の開示】
【発明が解決しようとする課題】
【０００４】
特許文献１による起動時間短縮方法は、前回調整した調整結果を記憶手段に記憶し、次回の起動時には記憶手段の調整結果を使用することで調整処理を省くものである。しかし、調整処理から次回起動までの経過時間が長時間に及ぶ場合、装置あるいは記録媒体の経時変化による調整時の調整結果と起動時の適正値との不整合を避けるため、記憶手段の調整結果を使用せず、再度調整処理を行った上で起動する。この場合起動時間が短縮することが出来なかった。
しかし、据置型のＡＶレコーダなどではユーザによって使用頻度が異なり、装置を使用する間隔が長くなる場合が考えられる。この場合、上記設定時間を越えるような間隔で使用すると、まったく起動時間短縮効果がなくなることになる。そこで、装置の使用間隔が長くても起動時間を短縮する方法が必要になった。
【課題を解決するための手段】
【０００５】
ディスク記録再生装置はディスク装置と、時刻計測手段と時刻監視手段と、ディスク装置の動作命令を発行するドライブコントロール手段を有し、ディスク装置は記録媒体に対し記録あるいは再生を行うための制御値を得る調整手段と、調整手段による調整結果を保持する記憶手段を有している。ディスク記録再生装置は、一部の機能を除いて機能を停止する待機モードと、装置が動作を行う動作モードがあり、記録媒体がディスク装置に装着された状態で待機モードに移行した場合、移行した時刻からあらかじめ設定された調整有効時間が経過したとき、時刻監視手段がドライブコントロール手段に通知し、ドライブコントロール手段はディスク装置を起動して調整処理を行い、記憶手段の調整結果を更新する。次回ディスク記録再生装置が待機モードから動作モードに移行するとき、ディスク装置は記憶手段に記憶された調整結果を使用して起動を行うことで調整処理を省き起動時間を短縮する。
【０００６】
また、待機モード時に調整処理を行った時刻からさらに調整有効時間が経過した場合、再度調整処理を行い、記憶手段の調整結果を更新する。
【０００７】
また、記憶手段には不揮発性メモリを使用する。
【０００８】
また、待機モードにおける調整処理での記録媒体の回転速度を、ディスク装置に記録媒体を新たに装着して調整処理を行う際の回転速度より低くして、低騒音低振動化を行う。
【０００９】
また、待機モード時の調整処理回数を設定しておき、長期間使用しないときは待機モードでの調整処理を行わないことで省電力化を行う。
【００１０】
また、待機モード時に調整実行を許可する調整可能時刻を設定し、調整有効時間経過後、最初の調整可能時刻に調整処理を行うことで調整処理を行う時刻を管理する。
【００１１】
また、待機モード時に調整実行を許可する調整可能時刻を設定し、調整有効時間内において最後の調整可能時刻に調整処理を行うことで調整処理を行う時刻を管理する。
【００１２】
また、ディスク記録再生装置は、温度計測手段および温度監視手段を有し、調整処理を行う際の温度情報を記憶手段に保持する。待機モード時、調整処理を行った時の温度と現在の温度を比較し、温度差があらかじめ設定された許容温度変化値以上であることを検出した場合、調整処理を行い、記憶手段の調整結果を更新する。
【００１３】
以上の手段により、記憶手段の調整結果を管理することで待機モードから動作モードへの移行時に調整処理を省いてディスク装置を起動することが出来、起動時間の短縮を行うことが出来る。
【発明の効果】
【００１４】
ディスク記録再生装置が待機モードから動作モードに移行する移行時間を短縮でき、ユーザーの利便性が向上する。
【発明を実施するための最良の形態】
【００１５】
ディスク記録再生装置が待機モードから動作モードへ移行する時間を、ディスク装置の起動時間を短縮することで達成する。
【実施例１】
【００１６】
本発明の第１の実施例を図１、図２を用いて説明する。図１は本発明の１実施例であるディスク記録再生装置１の構成を示したものである。ここでディスク記録再生装置１は、映像や音声を記録再生するＡＶレコーダを想定している。ディスク記録再生装置１には、ディスク装置２、ドライブコントロール手段５、時刻監視手段６、時刻計測手段７を搭載し、ディスク装置２は、記録媒体毎に記録再生に適した制御値を得るための調整を行う調整手段３および調整結果を記憶する記憶手段４を搭載している。そしてディスク装置２は記録媒体を新たに装着した際、調整手段３が調整を行い記録媒体に適した調整結果を得、調整結果は記憶手段４に記憶する。
【００１７】
ディスク記録再生装置１は一部の機能を除いて機能を停止する待機モードと、装置が有する機能を動作する動作モードがある。これは例えばＡＶレコーダにおいて、待機モードは電源スイッチをオフにしタイマによる留守番予約モードのみ動作している状態を示し、動作モードは電源をオンし映像音声を記録再生できる状態にあることを示す。待機モード中、ユーザは電源をオフにした状態であるため機能が停止したように見えるが、実際にはタイマによる割り込み処理機能は動作している。待機モードと動作モードの大きな違いとして消費電力があり、動作モードでは全機能が動作するため消費電力が大きく、待機モードでは一部の機能しか動作していないので消費電力は小さい。本実施例では、待機モード時には、ディスク装置２、ドライブコントロール手段５は停止状態にあり、時刻監視手段６および時刻計測手段７は動作状態にある。待機モードにおいて、時刻監視手段６は時刻計測手段７を監視し、あらかじめ設定された時刻であることを検出した場合、ドライブコントロール手段５に通知しドライブコントロール手段５を起動する。ドライブコントロール手段５は起動後、ディスク装置２に対し起動、調整処理実行、調整処理実行後ディスク装置停止命令を発行し、命令発行後ドライブコントロール手段５の停止を行う。ディスク装置２は調整処理を実行した際、調整結果を記憶手段４に記憶する。また、ディスク記録再生装置にはあらかじめ調整結果の有効時間が設定されている。なお、記憶手段４はディスク装置２が停止中でも調整結果を保持するため不揮発性のメモリを使用している。
ディスク装置２は記録媒体を交換した際、調整処理を行う。また、ディスク記録再生装置が待機モードになるとディスク装置が停止するため、通常では次回動作モードに移行する際に調整処理が再び必要になる。しかし、本発明では記憶手段４に調整結果を記憶しており、待機モードから動作モードへの移行時は記録媒体が交換されていない限り記憶手段４の調整結果を使用することで調整処理を省き短時間でディスク装置の起動を行うことが出来る。ディスク装置の起動時間短縮によりディスク記録再生装置１が待機モードから動作モードに移行する移行時間を短縮することができる。
ところで、前回調整処理を行った時から、次回ディスク装置起動までの時間が長いとディスク装置や記録媒体の経時変化により、記憶手段４に記憶されている調整結果と起動時における最適調整値に不整合を生じることがある。本発明ではこの不整合を回避するため待機モード中に適正な間隔で調整処理を行い、常に記憶手段４の調整結果を適切に更新している。
図２により、本実施例のディスク記録再生装置が調整処理を行うタイミングについて説明する。図２はディスク記録再生装置のモードの切り替わりと、各処理の実行タイミングを説明したものである。横軸が時間軸であり、左から右へ時間経過する。まず、動作モード中、（Ａ）において記録媒体を装着する。このとき新しい記録媒体であるために、適正な制御値を得るべく調整処理を行い、調整結果は記憶手段に記憶しておく。次に動作モードから、記録媒体を取り出すことなく待機モードへと移行する（Ｂ）。（Ｂ）から記憶手段の調整結果の有効時間が経過（Ｃ）した場合、再度調整処理を行い、その調整結果で記憶手段の値を更新する。（Ｃ）で調整結果を更新した後、さらに調整有効時間が経過した場合は再度調整処理を行い結果更新する（Ｄ）。このように前調整処理から調整有効時間が経過した場合、調整処理を繰り返し、結果を更新していく（Ｅ）。そしてディスク記録再生装置が待機モードから動作モードに移行する際には記憶手段の調整結果を使用して調整処理を省きディスク装置を起動する（Ｆ）。この方法により、記憶手段に記憶した調整結果は常に適正な値が更新された状態になり、調整処理を省いても安定にディスク装置を起動することが出来る。調整実行タイミングは、待機モードに移行した時間と調整有効時間および調整処理を行った時間から時刻を計算する。
【００１８】
以上により、ディスク装置を起動する時に必要な調整結果を記憶手段に保持することで調整処理が不要になり起動時間が短縮できる。調整結果は、装置の経時変化による調整時と起動時の不整合を避けるため、待機モード時に調整処理を行い常に有効な調整結果を記憶手段に更新している。これによりディスク装置の起動時間短縮が出来る。
【実施例２】
【００１９】
次に本発明の第２の実施例であるディスク記録再生装置の調整処理を行うタイミングについて図３により説明する。図３は図２と同様にディスク記録再生装置の動作モードの切り替わりと、各処理の実行タイミングを説明したものである。第１の実施例において待機モード中に調整有効時間が経過した場合、調整処理を実施し調整結果を更新した。しかし、ディスク記録再生装置を長期間使用しない場合、延々と調整処理を更新することになる。これを避けるため、図３に示すようにあらかじめ待機モードで行う調整処理の回数を決めておき、回数を超えた場合は調整処理を行わないようにする。図３では、待機モード時の調整回数を３回までとしており、待機モードに移行（Ｂ）してから、（Ｃ）（Ｄ）（Ｅ）で調整処理を行った後は調整処理を行わず、動作モードに移行（Ｆ）する時に調整処理を行ってディスク装置を起動する。これにより待機モードが長期間続いた後の起動時間短縮効果はなくなるが、待機モード時の省電力効果を得ることが出来る。
【実施例３】
【００２０】
次に本発明の第３の実施例であるディスク記録再生装置の調整処理を行うタイミングについて図４により説明する。図４は図２と同様にディスク記録再生装置のモードの切り替わりと、各処理の実行タイミングを説明したものである。ディスク記録再生装置は１日のうち、使用頻度が高い時刻と低い時刻が存在する。例えば、深夜や明け方などは一般に使用頻度が低いと考えられる。待機モード中に調整処理を行うことを考えた場合、ユーザが動作モードに移行させることが少ない時刻に調整処理を行うことが望ましい。よって図４に示すように、１日のうちに調整処理を行ってもよい時刻を設定し、調整有効時間が経過しかつ、調整可能時刻になったときに調整処理を行うことにする。つまり、待機モード移行（Ｂ）から調整有効時間経過（Ｃ）後、次の調整可能時刻（Ｄ）で調整処理を行う。また、調整処理（Ｄ）から次の調整有効時間経過（Ｅ）後、次の調整可能時刻（Ｆ）で調整を行う。この方法により、待機モードでの調整は、１日のうち決まった時刻でのみ行うよう管理することが出来る。
【実施例４】
【００２１】
次に本発明の第４の実施例であるディスク記録再生装置の調整処理を行うタイミングについて図５により説明する。図５は図２と同様にディスク記録再生装置のモードの切り替わりと、各処理の実行タイミングを説明したものである。第３の実施例を厳密にみると、調整有効時間経過後、次の調整可能時刻まで調整処理を行っていないため、（設定した調整有効時間）+（１日）が実際の調整時間間隔の最大値になる。調整有効時間を越えた期間を生じないようにするためには、図５に示すように、１日のうちに調整処理を行ってもよい時間帯を設定した後、調整有効時間が経過する直前の調整可能時刻になったときに調整処理を行えばよい。つまり、待機モード移行（Ｂ）から調整有効時間（Ｄ）内の最後の調整可能時刻（Ｃ）で調整処理を行う。また、調整処理（Ｃ）から調整有効時間（Ｆ）内の最後の調整可能時刻（Ｅ）で次の調整処理を行う。この方法により、待機モードでの調整は、１日のうち決まった時間でのみ行うよう管理しかつ、調整結果はすべて調整有効時間内で更新することが出来る。
【実施例５】
【００２２】
次に本発明の第５の実施例を図６、図７を用いて説明する。図６は本発明の第５の実施例であるディスク記録再生装置１の構成を示したものである。ここでディスク記録再生装置１は、第１の実施例の構成に対し温度監視手段８、温度計測手段９を追加して搭載している。待機モード時には、温度監視手段８および温度計測手段９は動作状態にある。待機モードにおいて、温度監視手段８は温度計測手段９を監視し、あらかじめ設定された温度であることを検出した場合、ドライブコントロール手段５に通知しドライブコントロール手段５を起動する。ドライブコントロール手段５は起動後、ディスク装置２に対し起動、調整処理実行、調整処理実行後ディスク装置停止命令を発行し、命令発行後ドライブコントロール手段５の停止を行う。ディスク装置２は調整処理を実行した際、調整結果および調整時の温度を記憶手段４に記憶する。また、ディスク記録再生装置はあらかじめ調整結果の許容温度変化値が設定されている。
ところで記憶手段に記憶した調整結果と、起動時の最適調整値が不整合を生じる原因として、時間経過による経時変化のほかに、環境の温度変化による影響がある。本発明では温度変化による不整合を回避するため、待機モード中の温度と調整結果を記憶した時の温度との温度差があらかじめ設定した許容温度変化値を超えたことを検出した場合、調整処理を行い、記憶手段４の調整結果を更新する。
図７により、本実施例のディスク記録再生装置が調整処理を行うタイミングについて説明する。図７はディスク記録再生装置のモードの切り替わりと、各処理の実行タイミングを説明したものである。横軸が時間軸であり、左から右へ時間経過する。待機モードでの時間経過による調整処理は第１の実施例と同様（Ｃ）である。ここで調整処理を行った時の温度に対し温度監視手段が監視する温度が許容温度変化値を超えた場合、調整有効時間内であっても調整処理（Ｄ）を行い、調整結果を更新する。以上のように、調整有効時間経過と、許容温度変化値を超える温度変化検出のいずれかを検出して調整処理を行い、調整結果を常に有効なものに更新しておく。この方法により、記憶手段に記憶した調整結果は常に適正な値となり、調整処理を省いても安定にディスク装置を起動することが出来る。
なお本発明のディスク記録再生装置の場合、待機モードで調整処理を行うことになる。待機モードでは調整処理に多少時間がかかっても問題はないので、記録媒体を交換する際の通常調整処理時の記録媒体回転数より回転数を下げて調整処理を行うことが出来る。通常より記録媒体の回転数を下げることで、風切音等の騒音や記録媒体のアンバランスによって発生する振動などを低減することができる。
【図面の簡単な説明】
【００２３】
【図１】本発明の第１の実施例を示した図で、ディスク記録再生装置の構成を説明した図である。
【図２】本発明の第１の実施例を示した図で、ディスク記録再生装置が待機モード中に調整処理を行うタイミングを説明した図である。
【図３】本発明の第２の実施例を示した図で、ディスク記録再生装置が待機モード中に調整処理を行うタイミングを説明した図である。
【図４】本発明の第３の実施例を示した図で、ディスク記録再生装置が待機モード中に調整処理を行うタイミングを説明した図である。
【図５】本発明の第４の実施例を示した図で、ディスク記録再生装置が待機モード中に調整処理を行うタイミングを説明した図である。
【図６】本発明の第５の実施例を示した図で、ディスク記録再生装置の構成を説明した図である。
【図７】本発明の第５の実施例を示した図で、ディスク記録再生装置が待機モード中に調整処理を行うタイミングを説明した図である。
【符号の説明】
【００２４】
１…ディスク記録再生装置
２…ディスク装置
３…調整手段
４…記憶手段
５…ドライブコントロール手段
６…時刻監視手段
７…時刻計測手段
８…温度監視手段
９…温度計測手段
【図１】
2007012220.tif 000003
【図２】
2007012220.tif 000004
【図３】
2007012220.tif 000005
【図４】
2007012220.tif 000006
【図５】
2007012220.tif 000007
【図６】
2007012220.tif 000008
【図７】
2007012220.tif 000009